(57)【特許請求の範囲】
【請求項１】
手摺を支持する複数の支柱のうち、少なくとも一組の隣接する支柱同士が、互いに対向する対向面を有するとともに、
前記支柱の前後から突出しないように前記対向面に沿って収納可能であって、前記対向面に対して回動可能に取り付けられた一端側を支点として、略垂直面に沿って回動可能な一対のアーム，
該一対のアームを、前記一端側を支点として前記支柱に対して回動させるとともに、前記支柱に対する前記一対のアームの角度を所定の角度でロックする回動機構，
前記手摺に対して略平行となるように、前記一対のアームに両端側が保持される一つ以上の竿，
前記一対のアームに形成されており、前記竿を保持するための保持手段，
を備えており、
前記竿が、
両端面から軸方向に向けて形成された凹部と、該凹部を挟むように両端部の外周面に軸方向に形成された一対の溝とを有する金属製の芯材と、
該芯材の外側全体を覆う樹脂製の笠木と、
該笠木の外側を覆う光触媒を含む樹脂製のカバーと、
により構成されるとともに、
前記保持手段が、
前記一対のアームの対向する位置に設けられており、前記芯材の端部から前記凹部に嵌合可能であって、側面にネジ穴が設けられた凸部と、
該凸部の外側に設けられており、前記カバーの端部外周面を保持する略筒状の受部と、
前記芯材の端部を、前記溝から該芯材の軸方向と略直交する方向に貫通可能であって、前記凹部に嵌合した凸部のネジ穴と螺合して固定するネジと、
を含むことを特徴とする物干装置。
【請求項２】
前記保持手段の凸部及び受部が、前記アームと一体に形成されていることを特徴とする請求項１記載の物干装置。
【請求項３】
前記一対の支柱の対向面に、前記一対のアームが後方へ回動するのを防止するためのストッパを設けたことを特徴とする請求項１又は２記載の物干装置。
【請求項４】
前記一組の隣接する支柱同士の間に、他の支柱が配置されているときに、
前記一対のアームの収納時に、前記竿が前記他の支柱の前方に突出しないように、該他の支柱に前記竿を収納する溝を設けたことを特徴とする請求項１又は２記載の物干装置。
【発明の詳細な説明】
【技術分野】
【０００１】
本発明は、マンションのベランダなどの手摺を利用した物干装置に関するものである。
【背景技術】
【０００２】
従来、洗濯物を乾かすために、ベランダなどに物干台を設け、そこに竿を掛けて使用している。この方法では、使用しない時でも常に竿が設置されているため、ベランダのスペースを有効に活用できず、また、外観と内観（景観）の見栄えを損なってしまう。特に、マンションなどの集合住宅では、その不都合が顕著である。この問題に対し、ベランダの手摺支柱などに取り付けて竿を支持する物干装置を一体で収納できる物干金物が提案されている（例えば、下記特許文献１）。
【先行技術文献】
【特許文献】
【０００３】
【特許文献１】特開２００２−２２４４９６号公報
【発明の概要】
【発明が解決しようとする課題】
【０００４】
しかしながら、以上のような背景技術には、次のような問題がある。まず、物干装置をベランダの手摺に取り付け、更に竿を通して使用するため、手間がかかる，竿が外れて落下するおそれがある，取付施工により手摺の強度が低下する，という不都合がある。また、アーム部材を垂直に降ろして収納しても、取付位置の手前に出っ張り部分が生じるため、ベランダでの作業や移動の障害となり、景観も損なってしまう。更に、前記手摺，物干装置，竿が別々の業者により納められると、全体的なデザインが合わなかったり、安全のための強度が個々の製品ごとにしか分からないため、一体に組み合わせた時の強度が不明であったりするという不都合がある。
【０００５】
本発明は、以上のような点に着目したもので、簡単に竿の利用，収納，落下防止をすることができ、収納時に景観を損なわず、強度の計算や低下防止が可能な物干装置を提供することを、その目的とする。
【課題を解決するための手段】
【０００６】
本発明は、手摺を支持する複数の支柱のうち、少なくとも一組の隣接する支柱同士が、互いに対向する対向面を有するとともに、前記支柱の前後から突出しないように前記対向面に沿って収納可能であって、前記対向面に対して回動可能に取り付けられた一端側を支点として、略垂直面に沿って回動可能な一対のアーム，該一対のアームを、前記一端側を支点として前記支柱に対して回動させるとともに、前記支柱に対する前記一対のアームの角度を所定の角度でロックする回動機構，前記手摺に対して略平行となるように、前記一対のアームに両端側が保持される一つ以上の竿，前記一対のアームに形成されており、前記竿を保持するための保持手段，を備えており、前記竿が、両端面から軸方向に向けて形成された凹部と、該凹部を挟むように両端部の外周面に軸方向に形成された一対の溝とを有する金属製の芯材と、該芯材の外側全体を覆う樹脂製の笠木と、該笠木の外側を覆う光触媒を含む樹脂製のカバーと、により構成されるとともに、前記保持手段が、前記一対のアームの対向する位置に設けられており、前記芯材の端部から前記凹部に嵌合可能であって、側面にネジ穴が設けられた凸部と、該凸部の外側に設けられており、前記カバーの端部外周面を保持する略筒状の受部と、前記芯材の端部を、前記溝から該芯材の軸方向と略直交する方向に貫通可能であって、前記凹部に嵌合した凸部のネジ穴と螺合して固定するネジと、を含むことを特徴とする。
【０００７】
主要な形態の一つは、前記保持手段の凸部及び受部が、前記アームと一体に形成されていることを特徴とする。他の形態は、前記一対の支柱の対向面に、前記一対のアームが後方へ回動するのを防止するためのストッパを設けたことを特徴とする。
【０００８】
更に他の形態は、前記一組の隣接する支柱同士の間に、他の支柱が配置されているときに、前記一対のアームの収納時に、前記竿が前記他の支柱の前方に突出しないように、該他の支柱に前記竿を収納する溝を設けたことを特徴とする。本発明の前記及び他の目的，特徴，利点は、以下の詳細な説明及び添付図面から明瞭になろう。
【発明の効果】
【０００９】
本発明によれば、手摺を支持する複数の支柱のうち、一組以上の隣接する支柱同士が、互いに対向する対向面を有するとともに、前記支柱の前後から突出しないように前記対向面に沿って収納可能であって、一端側に設けられた回動機構によって略垂直面に沿って回動可能な一対のアームに、前記手摺と略平行となるように一つ以上の竿を保持することとした。前記竿の保持は、竿の芯材の端面から軸方向に形成された凹部と、アーム側に設けられた凸部とを嵌合させ、前記芯材の外周面に形成された溝から前記芯材を貫通し、前記凸部に形成されたネジ穴と螺合するネジで固定することにより行うこととした。このため、前記アームの回動により簡単に竿の利用，収納，落下防止ができ、収納時にも景観を損なわず、強度の計算や低下防止を図ることができる物干装置が得られる。
【図面の簡単な説明】
【００１０】
【図１】本発明の実施例１の全体構成をベランダ側から見た外観斜視図であり、(A)は使用時の状態を示す図，(B)は収納時の様子を示す図である。
【図２】前記図１(A)を＃Ａ−＃Ａ線に沿って切断し、矢印方向に見た断面図である。
【図３】前記実施例１の主要部を示す図であり、(A)はアームと竿の接続部分を示す斜視図，(B)は前記(A)を＃Ｂ−＃Ｂ線に沿って切断した端面図である。
【図４】本発明の他の実施例を、ベランダ側から見た外観斜視図である。
【発明を実施するための形態】
【００１１】
以下、本発明を実施するための最良の形態を、実施例に基づいて詳細に説明する。
【実施例１】
【００１２】
最初に、図１〜図３を参照しながら本発明の実施例１を説明する。図１は、本実施例の全体構成をベランダ側から見た外観斜視図であり、(A)は使用状態を示す図，(B)は収納状態を示す図である。図２は、前記図１(A)を＃Ａ−＃Ａ線に沿って切断し、矢印方向に見た断面図である。図３は、本実施例の主要部を示す図であり、(A)はアームと竿の接続部分を示す斜視図，(B)は前記(A)を＃Ｂ−＃Ｂ線に沿って切断した端面図である。本実施例の物干装置は、例えば、マンションのベランダなどの手摺と一体に形成されるものである。図１(A)及び(B)に示すように、ベランダ１２には、適宜間隔で配置された複数の支柱１４によって支持された手摺１６が設けられており、本実施例の物干装置１０は、隣接する一組の支柱１４と一体に形成されている。本実施例では、前記支柱１４の外側には、前記手摺１６によって上端が支持され、下端が手摺下枠１８により保持されたガラスパネル２０が設けられている。なお、図２に示すように、本実施例では、前記ガラスパネル２０として、ガラス板を２枚重ねしたものが用いられている。また、前記支柱１４としては、例えば、アルミニウムが利用される。
【００１３】
前記複数の支柱１４は、隣接する支柱同士が、互いに対向する対向面１５Ａ，１５Ｂを有しており、これら対向面１５Ａ，１５Ｂには、一対のアーム２４Ａ，２４Ｂの端部２６が、回動機構３０によって取り付けられている。該一対のアーム２４Ａ，２４Ｂは、前記支柱１４の前後から突出しないように、該支柱１４の奥行きよりも幅が狭く設定されており、前記対向面１５Ａ，１５Ｂに沿って収納可能である。また、前記端部２６側を支点として、略垂直方向に沿って回動可能となっている。すなわち、略垂直な対向面１５Ａ，１５Ｂに沿って回動可能となっている。
【００１４】
前記回動機構３０は、端部２６を支柱１４に取り付けるための台座３２と表面を覆うカバー３４を含んでおり、前記カバー３４に設けられた溝３６に沿って、前記アーム２４Ａ，２４Ｂを、支柱１４に対して略垂直面に沿って回動させるとともに、任意の角度でロックして位置を調節する機能を有している。このような回動機構３０としては、例えば、上述した背景技術（特開２００２−２２４４９６号公報）や、特開２００８−３０７１０１号公報に開示された技術が適用可能であるため、説明は省略する。なお、本実施例でロック可能なのは、図１(B)に示すように、アーム２４Ａ，２４Ｂを対向面１５Ａ，１５Ｂに沿って収納した状態と、図１(A)に示すように、支柱１４に対してアーム２４Ａ，２４Ｂを最大に開いた状態の場合である。また、前記アーム２４Ａ，２４Ｂは、図１(B)に示す収納状態において、端部２８が手摺１６に接触しない長さに設定されている。前記アーム２４Ａ，２４Ｂとしては、例えば、アルミキャストなどが利用される。前記支柱１４の内部に補強（図示せず）を入れることにより、アーム２４Ａ，２４Ｂと手摺１６の強度を一体物として計算可能となる。また、本実施例では、図２に示すように、前記対向面１５Ａ，１５Ｂには、前記アーム２４Ａ，２４Ｂが、ガラスパネル２０側へ回動するのを防止するためのストッパ６０が設けられている。
【００１５】
以上のようなアーム２４Ａ，２４Ｂの端部２８側と中間部分には、竿４０を前記手摺１６と略平行に保持するための凸部５２及び受部５８が、対向する位置に形成されている。本実施例の竿４０は、図３(A)及び(B)に示すように、芯材４２と、その外側を覆う笠木５０Ａ及びカバー５０Ｂにより構成されている。前記芯材４２は、例えば、アルミニウムなどの金属により形成され、前記笠木５０Ａは、例えば、合成樹脂により形成され、前記カバー５０Ｂとしては、例えば、光触媒入りの樹脂（例えば、塩化ビニル樹脂など）が利用される。光触媒を含む樹脂でカバー５０Ｂを形成することにより、見栄えの向上を図ることができる。また、防汚効果，抗菌効果も得られる。前記芯材４２には、一方の端部から他方の端部にかけて軸方向に形成された所定の断面形状を有する凹部４４が設けられるとともに、前記両端部の外周面には、前記凹部４４を挟むように、一対の溝４６Ａ，４６Ｂが形成されている。更に、前記凹部４４から前記溝４６Ａ，４６Ｂにかけて、前記芯材４２の軸方向と略直交する方向に貫通孔４８が形成されている。前記貫通孔４８は、本実施例では、図３(B)に示すように、一方の溝４６Ａ側に形成された貫通孔４８と、他方の溝４６Ｂ側に形成された貫通孔４８が左右で互い違いとなるように形成されている。
【００１６】
前記凸部５２は、前記一対のアーム２４Ａ，２４Ｂの対向する位置に設けられており、前記芯材端部４２Ａの凹部４４に嵌合可能な形状に形成されている。該凸部５２の側面には、図３(B)に示すように、前記芯材４２の貫通孔４８と対応する位置に、ネジ穴５４が設けられている。一方、前記受部５８は、前記凸部５２の外側に設けられており、カバー端部５１の外周面を保持する略筒状に形成されている。前記凸部５２及び受部５８は、前記アーム２４Ａ，２４Ｂと一体に、例えば、アルミキャストにより形成されている。前記凸部５２を、竿４０の芯材４２の凹部４４に嵌合させ、前記貫通孔４８とネジ穴５４の位置を合わせた状態で、ネジ５６を螺合することにより、竿４０を一対のアーム２４Ａ，２４Ｂに保持することが可能となる。
【００１７】
次に、本実施例の作用を説明する。物干装置１０は、使用しないときには、図１(B)に示すように、アーム２４Ａ，２４Ｂが、支柱１４の対向面１５Ａ，１５Ｂに沿うように収納されており、支柱１４の前方（ベランダ１２の内側）や後方（建物外側）には突出していない。竿４０も、前記アーム２４Ａ，２４Ｂに保持されているので同様である。物干装置１０を使用するときには、図１(A)に矢印Ｆ１で示すようにアーム２４Ａ，２４Ｂを回動させて手前に引き倒す。そして、竿４０に洗濯物などをかけて乾燥させる。使用後は、上述した手順と逆の手順により、アーム２４Ａ，２４Ｂを支柱１４の対向面１５Ａ，１５Ｂに沿って収納する。
【００１８】
このように、実施例１によれば、手摺１６を支持する複数の支柱１４のうち、隣接する支柱１４同士が対向面１５Ａ，１５Ｂを有しており、前記支柱１４の前後に突出しないように前記対向面１５Ａ，１５Ｂに沿って収納可能であって、端部２６側に設けられた回動機構３０によって、略垂直面に沿って回動可能な一対のアーム２４Ａ，２４Ｂに、前記手摺１６と略平行になるように竿４０を保持することとしたので、次のような効果がある。
(1)回動機構３０を利用してアーム２４Ａ，２４Ｂを支柱１４に対して回動させるため、竿４０の使用や収納が容易である。
(2)アーム２４Ａ，２４Ｂを支柱１４の対向面１５Ａ，１５Ｂに沿って収納することで、竿４０が隣接する支柱１４間の空間におさまり、ベランダ１２のスペースの有効活用と見栄え向上を図ることができる。
【００１９】
(3)支柱１４，アーム２４Ａ及び２４Ｂ，竿４０が一体に形成されているため、強度の計算や低下防止が可能である。
(4)竿４０が、芯材４２の外側を樹脂製の笠木５０Ａで覆い、更に、笠木５０Ａの外側を光触媒入りの樹脂製のカバー５０Ｂで覆う構成としたので、見栄えの向上を図るとともに、防汚効果や抗菌効果が得られる。
(5)また、前記竿４０を、アーム２４Ａ，２４Ｂに設けた凸部５２及び受部５８を利用して保持することで、竿４０の落下のおそれがない。
(6)また、支柱１４の対向面１５Ａ，１５Ｂにストッパ６０を設けることとしたので、アーム２４Ａ，２４Ｂが、ガラスパネル２０側へ回動するのを防止できる。
【００２０】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例１に示した竿４０の凹部４４と、アーム２４Ａ，２４Ｂの凸部５２の形状も一例であり、同様の効果を奏するように適宜変更してよい。
(2)材料についても一例であり、同様の効果を奏するものであれば、公知の各種の材料を利用してよい。
(3)前記実施例１では、支柱１４の外側にガラスパネル２０を設けることとしたが、これも一例であり、格子状やストライプ状の柵体などを設けるようにしてもよい。
(4)前記実施例１では物干装置１０を一つのみ設置することとしたが、２対以上の支柱１４がある場合には、２つ以上の物干装置１０を設けるようにしてもよい。
【００２１】
(5)図４に示す物干装置１００のように、隣接する支柱１４Ａ，１４Ｂ間に、他の支柱１４Ｃが設けられている場合にも本発明は適用可能である。図示の例では、前記支柱１４Ｃには、アーム２４Ａ，２４Ｂを収納したときに竿４０を収納するための溝１０４が設けられており、アーム２４Ａ及び２４Ｂと竿４０が、支柱１４Ａ，１４Ｂの前方に突出しないようになっている。前記溝１０４は、図示のように厚みが薄い挿入部材１０２に形成して支柱１４Ｃの適宜位置に取り付けるようにしてもよいし、直接支柱１４Ｃに形成するようにしてもよい。本形態は、物干装置１００が、支柱１４Ａ−支柱１４Ｃ間と、支柱１４Ｃ−支柱１４Ｂ間の２スパンに亘って形成されているともいえる。むろん、前記溝１０４に相当するものを設けることにより、３スパン以上に渡って物干装置を形成してもよい。あるいは、支柱１４Ａ，１４Ｂ間に、支柱１４Ｃ以外のもの（補強材や装飾材など）を設けた場合にも、前記溝１０４を設けることにより同様の効果が得られる。
(6)前記実施例１における竿４０の保持機構も一例であり、同様の効果を奏するものであれば他の公知の各種の保持機構を利用してもよい。例えば、実施例１では、竿４０の両端にわたって貫通した凹部４４を形成したが、これも一例であり、凸部５２と嵌合する形状の凹部を竿４０の両端側から軸方向に所定深さで形成してもよい。
(7)前記実施例では、マンションのベランダに設ける手摺を例に挙げて説明したが、戸建住居や各種施設などのベランダ全般に、本発明は適用可能である。
【産業上の利用可能性】
【００２２】
本発明によれば、手摺を支持する複数の支柱のうち、一組以上の隣接する支柱同士が、互いに対向する対向面を有するとともに、前記支柱の前後から突出しないように前記対向面に沿って収納可能であって、一端側に設けられた回動機構によって略垂直面に沿って回動可能な一対のアームに、前記手摺と略平行となるように一つ以上の竿を保持することとした。前記竿の保持は、竿の芯材の端面から軸方向に形成された凹部と、アーム側に設けられた凸部とを嵌合させ、前記芯材の外周面に形成された溝から前記芯材を貫通し、前記凸部に形成されたネジ穴と螺合するネジで固定することにより行うこととした。このため、前記アームの回動により簡単に竿の利用，収納，落下防止が可能で、収納時にも景観を損なわず、強度の計算や低下防止を図ることができるため、物干装置の用途に適用できる。特に、マンションなどの集合住宅のベランダ用の物干装置の用途に好適である。
【符号の説明】
【００２３】
１０：物干装置
１２：ベランダ
１４，１４Ａ〜１４Ｃ：支柱
１５Ａ，１５Ｂ：対向面
１６：手摺
１８：手摺下枠
２０：ガラスパネル
２４Ａ，２４Ｂ：アーム
２６，２８：端部
３０：回動機構
３２：台座
３４：カバー
３６：溝
４０：竿
４２：芯材
４２Ａ：端部
４４：凹部
４６Ａ，４６Ｂ：溝
４８：貫通孔
５０Ａ：笠木
５０Ｂ：カバー
５１：端部
５２：凸部
５４：ネジ穴
５６：ネジ
５８：受部
６０：ストッパ
１００：物干装置
１０２：挿入部材
１０４：溝
【図１】
0005554547.tif 000002
【図２】
0005554547.tif 000003
【図３】
0005554547.tif 000004
【図４】
0005554547.tif 000005